(57)【要約】【課題】  刃型の位置決めと、段取り替えを容易に、かつ、短時間で行うことができる基板分割刃型ユニットを提供する。【解決手段】  プリント基板を切断により基板単体に分割する上下の刃型４、５を保持するための基板分割刃型ユニット１において、上下の支持盤２、３を開閉自在に連結すると共にその上下の支持盤２、３にスライド自在に刃型４、５を設け、上下いずれか一方の刃型４に、先細の位置決めピン１５を設け、他方の刃型５に、位置決めピン１５をガイドして挿入させる位置決め穴１６を形成したものである。【選択図】  図１
2006332167.tif 000002
【特許請求の範囲】
【請求項１】
プリント基板を切断により基板単体に分割する上下の刃型を保持するための基板分割刃型ユニットにおいて、上下の支持盤を開閉自在に連結すると共にその上下の支持盤にスライド自在に刃型を設け、上下いずれか一方の刃型に、先細の位置決めピンを設け、他方の刃型に、上記位置決めピンをガイドして挿入させる位置決め穴を形成したことを特徴とする基板分割刃型ユニット。
【請求項２】
上下の支持盤を開閉自在に連結する連結部材は、上部支持盤と下部支持盤を回動自在に連結する軸部と、上部支持盤と下部支持盤を近接離間させるスライド部とを有する請求項１記載の基板分割刃型ユニット。
【請求項３】
上部支持盤と下部支持盤には、上記刃型をスライド自在に支持するガイドレールが形成された請求項１又は２記載の基板分割刃型ユニット。
【発明の詳細な説明】
【技術分野】
【０００１】
本発明は、プリント基板を切断により基板単体に分割する基板分割刃型ユニットに関するものである。
【背景技術】
【０００２】
図３に示すように、基板分割装置３０は、上下の刃型３１、３２と、これら刃型３１、３２を平行かつ近接離間自在に支持する上下の支持盤３３、３４とを備えて構成されており、刃型３１、３２間にプリント基板（図示せず）を挟んで基板単体に分割するように構成されている。上下の刃型３１、３２はそれぞれ平面視略矩形状に形成されており、四隅を支持盤３３、３４にボルト３５にて固定されている。
【０００３】
【特許文献１】特開平８−１４１９９８号公報
【発明の開示】
【発明が解決しようとする課題】
【０００４】
ところで、刃型３１、３２は、上下別々にボルト３５にて固定するものであるため、位置決め、段取り替えに手間と時間がかかるという課題があった。
【０００５】
そこで、本発明の目的は、上記課題を解決し、刃型の位置決めと、段取り替えを容易に、かつ、短時間で行うことができる基板分割刃型ユニットを提供することにある。
【課題を解決するための手段】
【０００６】
上記課題を解決するために本発明は、プリント基板を切断により基板単体に分割する上下の刃型を保持するための基板分割刃型ユニットにおいて、上下の支持盤を開閉自在に連結すると共にその上下の支持盤にスライド自在に刃型を設け、上下いずれか一方の刃型に、先細の位置決めピンを設け、他方の刃型に、上記位置決めピンをガイドして挿入させる位置決め穴を形成したものである。
【０００７】
上下の支持盤を開閉自在に連結する連結部材は、上部支持盤と下部支持盤を回動自在に連結する軸部と、上部支持盤と下部支持盤を近接離間させるスライド部とを有するとよい。
【０００８】
上部支持盤と下部支持盤には、上記刃型をスライド自在に支持するガイドレールが形成されるとよい。
【発明の効果】
【０００９】
本発明によれば、刃型の位置決めと、段取り替えを容易に、かつ、短時間で行うことができる。
【発明を実施するための最良の形態】
【００１０】
図１（ａ）に示すように、基板分割刃型ユニット１は、上下の支持盤２、３と、これら支持盤２、３にそれぞれスライド自在に設けられる刃型４、５とを備えて構成されており、図示しないプレス機のプレス台上に設置されるようになっている。上下の支持盤２、３は連結部材７を介して回動自在かつ近接離間自在に連結されている。連結部材７は、上部支持盤２と下部支持盤３を回動自在に連結する軸部９と、上部支持盤２と下部支持盤３を近接離間させるスライド部８とを有する。スライド部８は、ピストン状に伸縮自在に形成されており、連結部材７の軸部９と支持盤２、３との間に介設されている。スライド部８は、上部支持盤２と下部支持盤３とを離間させるように弾発付勢するものであり、上部支持盤２と下部支持盤３とを軸部９回りに回動させて閉じたとき、図１（ｂ）に示すように、互いに離間した状態で平行にするようになっている。そして、上部支持盤２と下部支持盤３とが互いに離間して平行となっているとき、上部支持盤２と下部支持盤３とに互いに近接させる力を加えることでスライド部８が縮退し、図１（ｃ）に示すように、上部支持盤２と下部支持盤３とが平行な姿勢のまま近接するようになっている。
【００１１】
図１（ａ）及び図２に示すように、上部支持盤２と下部支持盤３とには、それぞれ刃型４、５をスライド自在に支持するためのガイドレール１０が形成されている。ガイドレール１０は、支持盤２、３の開閉端側から回動中心側へ延びるように形成されており、開閉端側の端から刃型４、５を挿抜するように形成されている。また、ガイドレール１０は、支持盤２、３の両側に断面コ字状の溝１１を互いに開口を向かい合わせるようにして形成されており、ガイドレール１０間に支持盤２、３を支持するようになっている。また特に、溝１１を区画する面のうち、刃型４、５の裏面（図示せず）に当接される受面２０は、幅広に形成されており、プリント基板切断時の反力を広い面積で安定して受けるようになっている。ガイドレール１０には、刃型４、５のスライドを止めるためのストッパ１２が設けられている。
【００１２】
また、下部支持盤３には、上部支持盤２を弾発的に受けるためのスプリング１３が設けられており、接近する上部支持盤２の勢いを吸収して柔軟に受けるようになっている。
【００１３】
刃型４、５は、ガイドレール１０に係合される凸部１４を有する。凸部１４は刃型４、５の両側にそれぞれ形成されており、ガイドレール１０に遊嵌されるようになっている。すなわち、凸部１４はガイドレール１０の溝１１よりも若干小さく形成されており、ガイドレール１０の延長方向のみならず、側方にも若干スライド可能となっている。また、上側の刃型４には、テーパ加工で先細に形成された位置決めピン１５が下側の刃型５に向くように設けられており、下側の刃型５には、位置決めピン１５をガイドして挿入させる位置決め穴１６が形成されている。位置決めピン１５は、刃型４、５のいずれの切断刃１７よりも長く形成されており、切断刃１７に先行して位置決め穴１６内に挿入されるようになっている。位置決め穴１６は、位置決めピン１５をほとんど遊びのない状態で挿入するサイズ（径）に形成されている。また、上下の刃型４、５には、それぞれ挿抜方向後端に取っ手１８が設けられており、取っ手１８を持って挿入方向前端をガイドレール１０間に位置させることで、両側の凸部１４をそれぞれガイドレール１０の溝１１内に挿入できるようになっている。
【００１４】
次に本実施の形態の作用を述べる。
【００１５】
刃型４、５の段取り替えをする場合、図２に示すように上部支持盤２を上方に回動させて基板分割刃型ユニット１を開き、既設の刃型４、５の取っ手１８を引く。これにより、刃型４、５を支持盤２、３から容易に引き抜くことができる。この後、図２に示すように、新たな刃型４、５を両側のガイドレール１０に係合させる。このとき、刃型４、５の取っ手１８を持って挿入方向前端側の凸部１４をそれぞれガイドレール１０の位置に合わせることで容易にガイドレール１０間に挿入することができる。
【００１６】
図１（ａ）に示すように、上下の支持盤２、３にそれぞれ刃型４、５を係合させたら、上部支持盤２を軸部９回りに下方に回動させて基板分割刃型ユニット１を閉じる。図１（ｂ）に示すように、上部支持盤２と下部支持盤３とは平行な姿勢で離間された状態となり、段取り替えの作業は完了となる。
【００１７】
この後、下部支持盤３上の刃型５に分割すべきプリント基板（図示せず）をセットし、図示しないプレス機で上部支持盤２を下方にプレスすると、図１（ｃ）に示すように、連結部材７のスライド部８が縮んで上部支持盤２と下部支持盤３とが近接される。このとき、位置決めピン１５がいずれの切断刃１７よりも先に位置決め穴１６内に挿入される。位置決めピン１５が位置決め穴１６内に入るとき、位置決めピン１５は必ずしも位置決め穴１６と同軸上にはないが、先細に形成されているため多少ずれていても位置決め穴１６内に入る。位置決めピン１５と位置決め穴１６の軸がずれている場合、位置決めピン１５はテーパ状に形成された外周面１９を位置決め穴１６の開口縁に当接され、位置決め穴１６の開口縁を径方向（水平方向）に押す。それぞれの刃型４、５はガイドレール１０に沿って水平方向に微動され、位置決めピン１５と位置決め穴１６とが同軸上となる。これにより、上下の刃型４、５が自動的に位置決めされる。この後更に上下の刃型４、５が接近することで、プリント基板に切断刃１７が当たり、プリント基板が正確に分割されることとなる。
【００１８】
このように、上下の支持盤２、３を開閉自在に連結すると共にその上下の支持盤２、３にスライド自在に刃型４、５を設け、上下いずれか一方の刃型４に、先細の位置決めピン１５を設け、他方の刃型５に、位置決めピン１５をガイドして挿入させる位置決め穴１６を形成したため、支持盤２、３に刃型４、５を設けるときの刃型４、５の位置決めを省略することができ、刃型４、５同士を接近させるだけで位置決めピン１５と位置決め穴１６との軸が合って刃型４、５同士の位置決めを行うことができ、刃型４、５の位置決めと、段取り替えを容易に短時間で行うことができる。そして、従来段取り替えに約３０分間を要していたものを、約１分間に短縮できる。
【００１９】
また、上下の支持盤２、３を開閉自在に連結する連結部材７は、上部支持盤２と下部支持盤３を回動自在に連結する軸部９と、上部支持盤２と下部支持盤３を近接離間させるスライド部８とを有するものとしたため、簡易な構造で容易に上下支持盤２、３を開閉させることができると共に、互いに平行な姿勢で近接離間させることができる。
【００２０】
上部支持盤２と下部支持盤３には、刃型４、５をスライド自在に支持するガイドレール１０が形成されるものとしたため、簡易な構造で確実に刃型４、５をスライド自在に支持することができる。
【００２１】
なお、上側の刃型４に位置決めピン１５を設け、下側の刃型５に位置決め穴１６を設けるものとしたが、逆に上側の刃型４に位置決め穴１６を設け、下側の刃型５に位置決めピン１５を設けるものとしてもよい。
【００２２】
また、スプリング１３は下部支持盤３に設けるものとしたが、上部支持盤２に設けてもよい。また、スプリング１３は上下の刃型４、５の勢いを緩和する緩衝手段であればよく、ウレタンやスポンジ、ゴム等であってもよい。
【図面の簡単な説明】
【００２３】
【図１】本発明の好適実施の形態を示す基板分割刃型ユニットの側面図であり、（ａ）は開かれた状態を示し、（ｂ）は閉じられた状態示し、（ｃ）は基板を分割している状態を示す。
【図２】下部支持盤に刃型を装着する状態の概略斜視図である。
【図３】従来の基板分割装置の要部斜視図である。
【符号の説明】
【００２４】
１  基板分割刃型ユニット
２  上部支持盤
３  下部支持盤
４  刃型
５  刃型
７  連結部材
８  スライド部
１０  ガイドレール
１５  位置決めピン
１６  位置決め穴
【図１】
2006332167.tif 000003
【図２】
2006332167.tif 000004
【図３】
2006332167.tif 000005